(57)【要約】      （修正有）【課題】部品点数を減らして構造を簡素化し、かつ張設する弦の張力調整を精度良く行えることが可能な弦楽器用の糸巻具及びこの糸巻具を備える弦楽器を提供する。【解決手段】弦楽器の糸巻具４０は、弦３０の端部が巻着される棒状の弦巻着部４１０と、前記弦巻着部４１０と連結する摘み部４２０と、リング状の形状を有し、リング内部に前記弦巻着部４１０が挿通される受け部４３０とを含み、前記摘み部４２０が回転することで、前記弦巻着部４１０が回転し、張設される弦の張力を調整可能である。【選択図】図４
2015145924.tif 000002
【特許請求の範囲】
【請求項１】
弦楽器のボディに配設され、弦を張設する弦楽器用糸巻具であって、
前記ボディの貫通孔に挿通されると共に、前記弦の端部が巻着される棒状の弦巻着部と、
前記弦巻着部と連結する摘み部と、
リング状の形状を有し、リング内部に前記弦巻着部が挿通される受け部とを含み、
前記弦巻着部と、前記受け部のリング内部には、各々噛み合うネジ溝が形成され、
前記摘み部と前記受け部とは、前記ボディの表裏を挟んで配設され、
前記摘み部が回転することで、前記弦巻着部が回転し、張設される弦の張力を調整可能であると共に、
前記弦巻着部が前記受け部に螺合することで、前記ボディを挟持し、弦の張力を保持することを特徴とする弦楽器用糸巻具。
【請求項２】
前記弦巻着部は、前記ボディの貫通孔に回転可能な状態で挿通され、
前記摘み部と、前記弦巻着部に螺合した前記受け部の双方が、前記ボディに密着した後も、前記摘み部を通じて前記弦巻着部を、時計回り及び／又は反時計回りに回転させることで、前記受け部を共回りさせ、前記弦を、引張し及び／又は緩めることが可能な請求項１に記載の弦楽器用糸巻具。
【請求項３】
前記弦巻着部は、
前記弦が巻着される弦巻着用括れと、
前記弦巻着用括れの端部から前記弦巻着部の前記ネジ溝の端部にかけて延びるスペース部とを備える請求項１又は２に記載の弦楽器用糸巻具。
【請求項４】
弦保護部材が、前記受け部に積み重なるよう装着される請求項１から３のいずれか一項に記載の弦楽器用糸巻具。
【請求項５】
前記摘み部、前記弦巻着部及び前記受け部の材質が、木材である請求項１から４のいずれか一項に記載の弦楽器用糸巻具。
【請求項６】
前記摘み部、前記弦巻着部及び前記受け部の木材が、ホオノキ、カツラ、ヒメツバキ若しくはクルミのうちいずれか一つ又は二つ以上を組み合わせたものである請求項５に記載の弦楽器用糸巻具。
【請求項７】
請求項１から６のいずれか一項に記載の糸巻具を備える弦楽器。
【発明の詳細な説明】
【技術分野】
【０００１】
本発明は、弦楽器のネック上に弦を張設するための糸巻具及びこれを備える弦楽器に関する。
【背景技術】
【０００２】
ギターやウクレレのような弦楽器は、ネックの先端に取り付けられるヘッドに、ボディからネックにかけて張設される弦の張力を調節するための糸巻具（ペグ）と呼ばれる部材を備える。
【０００３】
この糸巻具は、例えば特許文献１から３に記載の技術のように、弦が巻着されるシャフト部と、自身が回転することでシャフト部を回転させる摘み部とを含む構成である。この糸巻具は、シャフト部にウォーム（ねじ歯車）が連結されると共に、摘み部には前記ウォームと噛み合うウォームホイール（はすば歯車）が連結されたウォームギヤ機構を備えており、摘み部の回転によりシャフトが回転する構造である。
【先行技術文献】
【特許文献】
【０００４】
【特許文献１】特開２００７−３２８２４５号公報
【特許文献２】特開２００２−７３０１１号公報
【特許文献３】特開平９−２６９７７０号公報
【発明の概要】
【発明が解決しようとする課題】
【０００５】
一般的に用いられる糸巻具や、上記特許文献に記載の糸巻具は、摘み部の回転力を、歯車を介して減速させてシャフトに伝達するため、よりチューニングの微調整が可能となるが、しかし、一般的に用いられる糸巻具や、上記特許文献に記載の糸巻具は、その材質が金属である。そのため、糸巻具の重量が重くなるという課題がある。また、歯車を介するなど部品点数が多くなるため、構造が複雑となり、高精度な製品加工が求められる点でも、製造コストが高くなるという課題がある。
【０００６】
上記課題に鑑み、本発明は、部品点数を減らして構造を簡素化し、かつ張設される弦の張力調整を精度良く行えることが可能な弦楽器用の糸巻具及びこの糸巻具を備える弦楽器を提供することを目的とする。
【課題を解決するための手段】
【０００７】
前記課題を解決するための本発明に係る弦楽器用糸巻具は、
弦楽器のボディに配設され、弦を張設する弦楽器用糸巻具であって、
前記ボディの貫通孔に挿通されると共に、前記弦の端部が巻着される棒状の弦巻着部と、
前記弦巻着部と連結する摘み部と、
リング状の形状を有し、リング内部に前記弦巻着部が挿通される受け部とを含み、
前記弦巻着部と、前記受け部のリング内部には、各々噛み合うネジ溝が形成され、
前記摘み部と前記受け部とは、前記ボディの表裏を挟んで配設され、
前記摘み部が回転することで、前記弦巻着部が回転し、張設される弦の張力を調整可能であると共に、
前記弦巻着部が前記受け部に螺合することで、前記ボディを挟持し、弦の張力を保持することを特徴とする。
【０００８】
また、前記弦巻着部は、前記ボディの貫通孔に回転可能な状態で挿通され、前記摘み部と、前記弦巻着部に螺合した前記受け部の双方が、前記ボディに密着した後も、前記摘み部を通じて前記弦巻着部を、時計回り及び／又は反時計回りに回転させることで、前記受け部を共回りさせ、前記弦を、引張し及び／又は緩めることが可能であることが好ましく、また、前記弦巻着部は、前記弦が巻着される弦巻着用括れと、前記弦巻着用括れの端部から前記弦巻着部の前記ネジ溝の端部にかけて延びるスペース部とを備えることが好ましく、さらに、弦保護部材が、前記受け部に積み重なるよう装着されることが好ましく、またさらに、前記摘み部、前記弦巻着部及び前記受け部の材質が木材であり、その木材の中でも特にホオノキ、カツラ、ヒメツバキ若しくはクルミのうち、いずれか一つ又は二つ以上を組み合わせることが好ましい。
【０００９】
また、本発明に係る弦楽器は、上述した構成の糸巻具を備えることを特徴とする。
【発明の効果】
【００１０】
本発明によれば、部品点数を減らして構造を簡素化し、かつ張設される弦の張力調整を精度良く行えることが可能な弦楽器用の糸巻具及びこの糸巻具を備える弦楽器を提供することができる。
【図面の簡単な説明】
【００１１】
【図１】本発明の弦楽器に係る斜視図。
【図２】本発明の弦楽器に備わる糸巻具の分解斜視図。
【図３】糸巻具が弦楽器のボディに取り付けられた状態を示す拡大側面図。
【図４】弦保護部材が装着された状態の糸巻具を示す図。
【図５】糸巻具に作用する力を示した図。
【発明を実施するための形態】
【００１２】
以下、図面を参照して本発明の望ましい実施形態を詳細に説明する。但し、本発明は多くの異なる態様で実施することが可能であり、以下に示す実施の形態の記載内容に限定して解釈されるものではない。
【００１３】
まず、図１から図３を参照して、本発明に係る実施形態について詳細に説明する。図１は、本発明の弦楽器に係る斜視図であり、図２は、本発明の弦楽器に備わる糸巻具の分解斜視図であり、図３は、前記した糸巻具が、弦楽器のボディに取り付けられた状態を示す拡大側面図である。
【００１４】
まず、図１を用いて本発明に係る弦楽器の全体構成を説明する。図１（ａ）は、弦楽器を表側から見た斜視図、図１（ｂ）は、弦楽器を裏側から見た斜視図である。図１に示すように、本発明の弦楽器１は、ネック１０、ボディ２０、ヘッド１００、弦３０、糸巻具４０等を含む構成である。ネック１０は、ネック本体１１０と、フレット１２０と、弦３０を固定配置する駒１３０とを含む。ボディ２０は、張設された弦３０を弦楽器１の表面側から裏面側に通すための挿通孔１５０を含み、ヘッド１００は、弦３０を係止するための弦係止部１４０を含む。
【００１５】
一般的な弦楽器は、ネック１０の先端のヘッド１００に糸巻具が配設されているが、本発明に係る弦楽器は、ネック１０の先端のヘッド１００には糸巻具４０が配設されておらず、演奏者が弦をストロークする部位近傍のボディ２０部分に糸巻具４０が配設されている。
【００１６】
図１では、３本の弦が、弦楽器１に張設されているが、弦の数はこれに限定されない。また、図１には図示していないが、弦から発せられる振動を共鳴させるための振動共鳴部を含むようにしても良い。
【００１７】
次に、図２及び図３を用いて、弦楽器１に備わる上述の糸巻具４０の詳細について説明する。図３に示すように、糸巻具４０は、ボディ２０の所定位置に設けられる貫通孔に挿通されて配設される。また、糸巻具４０の構成は、図２に示すように、弦巻着部４１０、摘み部４２０、受け部４３０を含む。この弦巻着部４１０、摘み部４２０、受け部４３０の材質は、部材の重量を低減させる点、及び後述する摩擦係数の点で、木製であることが好ましく、その中でも、その木材の中でも特にホオノキ、カツラ、ヒメツバキ若しくはクルミのうち、いずれか一つ又は二つ以上を組み合わせることが好ましい。
【００１８】
弦巻着部４１０は、棒状の形状を有し、弦楽器１に組み込まれる際は、ボディ２０の貫通孔に挿通固定された状態となる。弦巻着部４１０は、後述する受け部４３０と螺合するネジ溝４１１と、弦３０の端部が挿通される弦挿通孔４１２と、弦３０を巻着する弦巻着用括れ４１３とを含む。図２に示すように、弦挿通孔４１２及び弦巻着用括れ４１３は、弦巻着部４１０の一端（図２の上方側）に設けられる。
【００１９】
さらに、弦巻着部４１０は、ネジ溝４１１の端部４１１Ａから弦巻着用括れ４１３の端部４１３Ａにかけて延びるスペース部４１４を備えることが好ましい。前記ネジ溝４１１と弦巻着用括れ４１３との境界にスペース部４１４を挿入することで、後述の受け部４３０が、ネジ溝４１１の端部４１１Ａ付近の位置まで螺合した場合であっても、弦巻着用括れ４１３に巻きついた弦３０が、ネジ溝４１１に巻き込まれてしまうことを防ぐことができる。
【００２０】
なお、弦巻着部４１０の径は、これをボディ２０の挿通孔に通した際、極僅かな隙間が出来る程度とすることが好ましい。これにより、弦巻着部４１０が、ボディ２０の挿通孔に挿通された状態であっても、弦巻着部４１０をスムーズに回転させることが可能となる。
【００２１】
摘み部４２０は、弦巻着部４１０と連結し、これを回転させるための部材である。図３に示すように、摘み部４２０は、ボディ２０の表面側に配設され、弦巻着部４１０の他端部（図２の下方側の端部）と連結する。弦巻着部４１０と摘み部４２０とは、別々に形成されて連結する方法であっても、一体として形成したものであっても良い。本実施形態では、弦巻着部４１０と摘み部４２０とは一体として形成されているが、これに限定されず、例えば、摘み部４２０に、弦巻着部４１０の他端部を嵌め込むための孔を設け、そこに弦巻着部４１０を挿し込んで、両者を連結させる方法などであってもよく、弦巻着部４１０と摘み部４２０と相互に螺合できるようにネジ溝を設け螺合して両者を連結させる方法などであってもよい。
【００２２】
受け部４３０は、弦巻着部４１０と螺合し、そこに巻着された弦３０の張力を一定に保持するための部材である。図２に示すように、受け部４３０は、リング状の形状を有し、弦巻着部４１０を挿通するための挿通孔４３１を備える構成である。挿通孔４３１の表面には、弦巻着部４１０のネジ溝４１１と螺合するネジ溝４３２が形成される。また、図３に示すように、受け部４３０は、ボディ２０の裏面側に配設される。
【００２３】
弦巻着部４１０のネジ溝４１１と、受け部４３０のネジ溝４３２とが螺合し、摘み部４２０と受け部４３０が、ボディ２０の表裏に密着する位置まで移動すると、弦３０の張力を一定に保持することが可能となる。
【００２４】
次に、図４に示すように、受け部４３０に積み重なるよう、弦保護部材４４０を装着することが好ましい。（受け部４３０の端面４３３と接触させる状態で、弦保護部材４４０が装着される。）図４（ａ）は、受け部４３０を図上方から見た図、図４（ｂ）は、弦巻着部４１０と受け部４３０とが螺合した状態の糸巻具４０の断面図、図４（ｃ）は、弦３０が張設された状態の糸巻具４０の断面図、図４（ｄ）は、糸巻具４０の斜視図である。
【００２５】
弦保護部材４４０を装着しなければ、弦３０と受け部４３０とが、直接接触することとなる。受け部４３０の周縁が角ばった状態にあると、弦３０の受け部４３０との接触部分に過度の圧力がかかる。そのため、弦３０が激しく摩耗する。上記のように、弦保護部材４４０を装着することで、弦３０の摩耗を防ぐことができる。
【００２６】
本実施形態では、弦保護部材４４０として、中心に弦巻着部４１０を挿通するための空孔が形成されるワッシャーを用いている。また、弦保護部材４４０の材料として、木材又はプラスチック材料であることが好ましい。
【００２７】
糸巻具４０の作用について説明する。まず、摘み部４２０が連結された状態の弦巻着部４１０が、ボディ２０の表面側に配設されると共に、受け部４３０が、ボディ２０の裏面側にそれぞれ配設される。その後、弦巻着部４１０は、ボディ２０の挿通孔及び受け部４３０の挿通孔４３１に挿通される。
【００２８】
この状態で、弦３０を弦巻着部４１０の弦挿通孔４１２に通すと共に、弦３０が弦挿通孔４１２から抜けないように、弦３０を係止する。このときは、まだ弦３０は、弛んだ状態である。
【００２９】
次に、摘み部４２０を、例えば手動で回転させると、これに連結する弦巻着部４１０も、連動して回転する。これによって、受け部４３０が、ボディ２０の裏面に近づく方向に移動すると共に、弦３０が、弦巻着部４１０の弦巻着用括れ４１３に巻着され、その張力が高まった状態で弦楽器１のネック１０及びヘッド１００に張設される。
【００３０】
受け部４３０の軸方向の移動は、それがボディ２０の裏面に密着するまで進む。上述したように、この状態で、弦巻着用括れ４１３に巻着された弦３０の張力による弦巻着部４１０の逆回転を阻止することができ、弦３０の張力を一定に保持することが可能となる。
【００３１】
弦巻着部４１０の径をボディ２０の挿通孔に対して、極僅かな隙間が出来る程度とした場合、更に、摘み部４２０を回転させることが可能で、それにより、弦巻着部４１０を回転させることができる。これによって、弦３０を更に引張させることができ、その張力を微調整することが可能となる。したがって、張力調整を高精度で行うことができる。
【００３２】
さらに、図５（ａ）により説明する。本実施形態に係る糸巻具４０は、弦巻着部４１０とこれに連結された摘み部４２０とが一体としてボルトの形状を形成し、受け部４３０がナットの形状をしており、いわばボルトとナットによってボディ２０を挟持するように使用する。一般的にボルトとナットを使用する場合、ボルトの雄ねじとナットの雌ねじを締め込んでいくと被締結物（本実施形態ではボディ２０）に圧縮力７０が作用し、ボルトには軸力（引張力）８０が生じる。また、雄ねじと雌ねじのねじ山同士、ボルトの座面と被締結物の表面、ナットと被締結物の表面とが触れ合って摩擦力が起こり、緩みにくくなり軸力が保たれる。また、ボルトやナットと被締結物との間に、締付効果を高めるために座金（ワッシャー）が使用されることが多いが、本実施形態では使用しない。
【００３３】
本実施形態に係る糸巻具４０は、ボルトとナットで被締結物を締結し、変位を生じさせないようにするためだけのものではない。本実施形態に係る糸巻具４０は、摘み部４２０を図５（ａ）で示す６０の方向に回転させて、弦巻着部４１０に巻着された弦３０を締めたり、図５（ｂ）で示す５０の方向に緩めたりして弦の張力を調整しチューニングをする必要がある。そのため、摘み部４２０を時計回りや反時計回りに回転させたときに、ナットに相当する受け部４３０が図５（ｂ）で示す５０の方向に共回りするようにしなければならない。このとき、単に摘み部４２０と受け部４３０とを共回りさせるのであれば、摘み部４２０の座面と被締結物の表面、受け部４３０と被締結物の表面とを接触させずに摩擦力を無くせばよいが、そうした場合、弦３０には引張力が働いているので、弦３０の張力により弦巻着部４１０が逆回転し、弦３０が緩み、安定したチューニングができない。
【００３４】
そこで、摘み部４２０と一体として形成された弦巻着部４１０の雄ねじと受け部４３０の雌ねじを締め込み、所望の弦の張力が得られたときには、変位を生じさせないよう固定できる必要である一方で、所望の弦の張力が得られず、さらにチューニングをするために、トルクを加えて締め付け、あるは逆方向に緩めると、摘み部４２０と受け部４３０が共回りをするように、摘み部４２０の座面と被締結物の表面との間、受け部４３０と被締結物の表面との間には一定程度の摩擦力が必要となる。この摩擦力は摘み部４２０の座面及び受け部４３０の材質だけでなく、被締結物であるボディ２０の表面の材質によっても変化するが、本実施形態のボディ２０は、一般的なギターのボディ部分に使用されているものと同様の木材である。また、摩擦力を調整するために、ボディ２０の表面にウレタン塗装を施してもよい。なお、本実施形態に係る糸巻具４０は、ボルトとナットで被締結物を締結し、変位を生じさせないようにするためだけのものではなく、共回りさせる必要もあるため、座金（ワッシャー）は使用しない。
【００３５】
本発明の発明者が試行錯誤を重ねた結果、この摘み部４２０（これと一体に形成される弦巻着部４１０）及び受け部４３０の材質は、木材であることが好ましく、その木材の中でも、モクレン科モクレン属ホオノキ（学名：Ｍａｇｎｏｌｉａ  ｈｙｐｏｌｅｕｃａ）、カツラ科カツラ属カツラ（学名：Ｃｅｒｃｉｄｉｐｙｌｌｕｍ  ｊａｐｏｎｉｃｕｍ）ツバキ科ヒメツバキ属の木材（例えばヒメツバキ（学名：Ｓｃｈｉｍａ  ｗａｌｌｉｃｈｉｉ））、クルミ科クルミ属クルミ（学名Ｊｕｇｌａｎｓ）等の木材が最適であることが分かった。
【００３６】
上述したように、本発明に係る糸巻具４０は、非常にシンプルな構造であり、且つ弦楽器に用いられる一般的な糸巻具などと比べて大幅に重量を低減させることができる。また、本発明に係る糸巻具４０は、張設した弦３０の張力をしっかりと保持することが可能であるため、張設した後に弦３０が撓んで音階が狂うなどの不具合も生じにくい。
【符号の説明】
【００３７】
１          弦楽器
１０        ネック
２０        ボディ
３０        弦
４０        糸巻具
１００      ヘッド
４１０      弦巻着部
４１１      ネジ溝
４１２      弦挿通孔
４１３      弦巻着用括れ
４１４      スペース部
４２０      摘み部
４３０      受け部
４３１      挿通孔
４３２      ネジ溝
４４０      弦保護部材
【図１】
2015145924.tif 000003
【図２】
2015145924.tif 000004
【図３】
2015145924.tif 000005
【図４】
2015145924.tif 000006
【図５】
2015145924.tif 000007